(57)【要約】【課題】本発明では、湾曲したドアを下ハーフに取り付ける作業の自動化を容易に実現することができる構造を有する記録媒体カートリッジを提供することを課題とする。【解決手段】湾曲したスライドドア３は、その後端部に形成されるドア側ばね掛け部３２ｂと、下ハーフ１Ｂのケース側ばね掛け部１ｃとに跨って取り付けられるコイルばね４により常時閉方向に付勢されている。そして、このスライドドア３には、その後端部のドア側ばね掛け部３２ｂに一端側のリング部４１が取り付けられたコイルばね４をスライドドア３に押し付けたときにそのコイルばね４の位置を規制する規制部５が設けられている。【選択図】　　　　図１
2004110954.tif 000002
【特許請求の範囲】
【請求項１】
カートリッジケースの角部に形成された磁気テープを引き出すための開口と、
この開口を開閉する湾曲したドアと、
このドアを前記カートリッジケースに対してスライドさせるスライド機構と、
前記ドアの端部に形成されるドア側ばね掛け部と、
前記カートリッジケースの底面に形成されるケース側ばね掛け部と、
前記ドア側ばね掛け部と前記ケース側ばね掛け部とにわたって取り付けられ、前記ドアを閉じるように付勢するコイルばねとを備える磁気テープカートリッジであって、
前記ドアの一方の面には規制部が設けられ、
この規制部は、前記ドア側ばね掛け部にコイルばねの一端を仮組みし、このコイルばねを前記ドアの一方の面に押し付けたときにそのコイルばねの位置を規制するように構成されていることを特徴とする磁気テープカートリッジ。
【発明の詳細な説明】
【０００１】
【発明の属する技術分野】
本発明は、湾曲したドアを有する磁気テープカートリッジに関するものである。
【０００２】
【従来の技術】
一般に、コンピュータ等のデータバックアップ用の外部記録媒体として、磁気テープを巻装した単一のリールが収納された磁気テープカートリッジがある（たとえば特許文献１参照）。
【０００３】
【特許文献１】
特開平１１−２６５５６０号公報（第２図）
【０００４】
この磁気テープカートリッジとしてはいろいろな種類のものがあり、近年においては、磁気テープドライブ内での各装置の収容スペースを小さくするために、カートリッジケースの角部に開口を形成し、この開口を湾曲させたドアで開閉させるものが開発されている。このような磁気テープカートリッジにおいて、湾曲したドアを開閉するには、ドアをケースに対してスライド自在な構造とするとともに、ケースとドアにピン等の突起を設け、この間に引張のコイルばねをかけることでドアを常時閉方向に付勢しておき、ドアの外面に形成した突起を適宜外部から操作することで開閉する構造が考えられる。そして、このような構造におけるドアの組付作業を自動化する方法としては、最初にドアをケースに形成されたガイド溝にセットした後、このドアの突起とケースの突起にロボットハンドにより両端が挟持されたコイルばねを組み付ける方法が考えられる。
【０００５】
【発明が解決しようとする課題】
しかしながら、前記のような組付方法では、最初にセットしたドアがぐらつくと、その突起の位置がずれてコイルばねの組付作業が困難になり、その自動化が困難になるおそれがあった。また、ドアとケースの突起とのクリアランスが小さいと、コイルばねの先端を取り付けるためのロボットハンドをその間に挿入するのが困難になり、その自動化が困難になるおそれもあった。このような問題に対して、ドアの突起にコイルばねの一端を仮組みした状態でこれらをロボットハンドで挟持してコイルばねの他端をケースの突起に組み付ける方法が考えられるが、この方法ではコイルばねの形状からこのコイルばねをドアに対して定位置にしておくことが困難であり、組付ミスになりやすいと考えられる。
【０００６】
そこで、本発明の課題は、湾曲したドアをケースに取り付ける作業の自動化を容易に実現することができる構造を有する磁気テープカートリッジを提供することにある。
【０００７】
【課題を解決するための手段】
前記課題を解決した本発明は、カートリッジケースの角部に形成された磁気テープを引き出すための開口と、この開口を開閉する湾曲したドアと、このドアを前記カートリッジケースに対してスライドさせるスライド機構と、前記ドアの端部に形成されるドア側ばね掛け部と、前記カートリッジケースの底面に形成されるケース側ばね掛け部と、前記ドア側ばね掛け部と前記ケース側ばね掛け部とにわたって取り付けられ、前記ドアを閉じるように付勢するコイルばねとを備える磁気テープカートリッジであって、前記ドアの一方の面には規制部が設けられ、この規制部は、前記ドア側ばね掛け部にコイルばねの一端を仮組みし、このコイルばねを前記ドアの一方の面に押し付けたときにそのコイルばねの位置を規制するように構成されていることを特徴とする。
【０００８】
本発明によれば、たとえばロボットハンドにより、湾曲したドアとそのドア側ばね掛け部に一端が取り付けられたコイルばねとを一緒に挟持すると、このコイルばねが規制部に押し付けられてその位置がドアに対して規制されることになる。そして、このようにドアに固定されたコイルばねの他端を、ドアを組み付ける過程においてカートリッジケースの底面、たとえば下ハーフの底面に形成されるケース側ばね掛け部に取り付ける。このように規制部でドアに対するコイルばねの位置を規制することで、ドアにコイルばねを仮組みして取り扱うことが容易になる。
【０００９】
【発明の実施の形態】
以下、図面を参照して、本発明に係る磁気テープカートリッジの詳細について説明する。参照する図面において、図１は本発明に係る磁気テープカートリッジの全体を示す分解斜視図、図２は図１のスライドドアの内面側を示す拡大斜視図である。また、図３は図１の磁気テープカートリッジの要部を示す要部拡大図、図４は図２のスライドドアの前部を示す要部拡大斜視図、図５はスライドドアにコイルばねを組み付けた状態を示す要部拡大斜視図である。
【００１０】
図１に示すように、磁気テープカートリッジＭＣは、上ハーフ１Ａと下ハーフ１Ｂとに分割構成されたカートリッジケース１でその外観が構成されている。そして、このカートリッジケース１内には、磁気テープＭＴを巻装したリール２と、湾曲したスライドドア３と、このスライドドア３を常時閉方向に付勢するコイルばね４とが主に設けられている。
【００１１】
カートリッジケース１は、その平面視が略矩形となっており、その一つの角部が面取りするように斜めに形成され、この角部に磁気テープＭＴを引き出すための磁気テープ引出口１Ｃが上ハーフ１Ａと下ハーフ１Ｂとに跨って形成されている。また、このカートリッジケース１には、下ハーフ１Ｂの底面１ａにスライドドア３が摺動自在に取り付けられる湾曲したガイド溝（スライド機構）１ｂと、コイルばね４が取り付けられるピン状の突起であるケース側ばね掛け部１ｃとが形成されている。上ハーフ１Ａにも下ハーフ１Ｂと同様に前記ガイド溝１ｂや前記ケース側ばね掛け部１ｃに対応する図示しないガイド溝や突起が形成されている。
【００１２】
スライドドア３は、カートリッジケース１内に組み付けられた状態において、その外面３１が凸状に湾曲し、かつその内面３２が凹状に湾曲する板状に形成されている。また、その上下端縁には、上下ハーフ１Ａ，１Ｂのガイド溝１ｂと摺動自在に係合する摺動用突起（スライド機構）３３が形成されている。外面３１には、スライドドア３の開閉を外部から行うためにカートリッジケース１（上ハーフ１Ａ）に形成された操作用開口部１ｄから露出する操作用突片３１ａが形成されている。また、図２に示すように、内面３２には、その後端部（組み付けたときに閉方向側となる端部）に磁気テープＭＴの先端に取り付けられるリーダピンＬ（図１参照）をスライドドア３が閉じた状態において抑えておくためのストッパ３２ａが形成され、その前端部に上方に向かって突出するピン状の突起であるドア側ばね掛け部３２ｂが形成されている。そして、図３に示すように、このスライドドア３は、そのドア側ばね掛け部３２ｂと下ハーフ１Ｂのケース側ばね掛け部１ｃとにわたって取り付けられたコイルばね４により常時閉方向に付勢され、その操作用突片３１ａにより適宜開方向に移動されることで、カートリッジケース１の磁気テープ引出口１Ｃを開閉する構造となっている。
【００１３】
コイルばね４は、図４に示すように、引張のコイルばねであり、その両端に略リング状に形成されたリング部４１，４１が設けられている。なお、このリング部４１は、完全にリング状に形成する必要はなく、ドア側ばね掛け部３２ｂとケース側ばね掛け部１ｃに引っ掛かる形状であればどのような形状でもよい。
【００１４】
また、前記ドア側ばね掛け部３２ｂは、具体的に、スライドドア３の前端部から内側に向かって延びる延在部３２ｃの先端から上方に突出するように形成されている。また、このドア側ばね掛け部３２ｂは、その径がコイルばね４の両端に形成されるリング部４１の内径と略同じ大きさとなる円柱状に形成され、その一部が軸方向に沿って切り欠かれている。さらに、このドア側ばね掛け部３２ｂの先端部は、軸方向に沿って切り欠かれ、その切り欠き部分の途中が下方に行くにつれて徐々に拡径するテーパ状に形成されている。このようにドア側ばね掛け部３２ｂが形成されることで、その先端部の最大長さがコイルばね４のリング部４１の内径よりも小さくなるため、このリング部４１が先端部に容易に入ることになる。さらに、このリング部４１をその内径と略同じ径となるドア側ばね掛け部３２ｂの基端部に取り付ける際には、テーパ状に形成された部分によりスムーズにリング部４１が略同じ径となる部分まで案内され、その後この略同じ径となる部分により基端部まで案内されて取り付けられる。なお、ドア側ばね掛け部３２ｂやケース側ばね掛け部１ｃの形状は、本実施形態のようなピン状に限定されるものではなく、コイルばね４の両端が掛けられる突起であればどのような形状でもよい。
【００１５】
また、このスライドドア３の内面３２には、その延在部３２ｃの近傍に規制部５が形成されている。この規制部５は、スライドドア３の前端部側から後端部側に向かうにつれて内側への突出量が徐々に大きくなる楔形の本体部５１からなり、この本体部５１の内面側には前方から後方に向かうにつれて幅や深さが徐々に大きくなる断面略Ｖ字状のＶ溝５２が形成されている。そして、この規制部５は、ドア側ばね掛け部３２ｂに一方のリング部４１が取り付けられたコイルばね４がＶ溝５２に押し付けられたときにそのコイルばね４の上下方向の位置を規制している。ここで、この規制部５を形成する上において、その内側への突出量はカートリッジケース１内に組み付けられたスライドドア３の動きによって伸び縮みするコイルばね４とは接触不能となる量に設定されている。
【００１６】
次に、このスライドドア３の下ハーフ１Ｂへの組付方法について説明する。
まず、図４に示すように、ドア側ばね掛け部３２ｂにコイルばね４の一端側のリング部４１が取り付けられたスライドドア３を他の部品や上下ハーフ１Ａ，１Ｂを所定位置に配設した搬送パレット（図示せず）上に配設する。このとき、コイルばね４は、その中腹部４２が規制部５のＶ溝５２近傍に位置するように図示しない治具により支持されている。なお、本実施形態では、ドア側ばね掛け部３２ｂの径がリング部４１の内径と略同じ径に形成されるので、前記のような治具を使わなくても規制部５の近傍にコイルばね４を維持させておくことができる。
【００１７】
前記搬送パレットがスライドドア３の組付工程に搬送されてくると、図５に示すように、この搬送パレットに配設されたスライドドア３の前後をロボットハンドＲＨにより挟持させる。このとき、このスライドドア３の前側を挟持するロボットハンドＲＨは、スライドドア３とコイルばね４の中腹部４２を一緒に挟持する。このように挟持されるコイルばね４は、その位置が多少ずれていたとしても規制部５のＶ溝５２の面に当接することによりその中心に案内され、確実にその位置がスライドドア３に対して規制されることになる。
【００１８】
そして、このようにスライドドア３に固定されたコイルばね４の他端側のリング部４１を、下ハーフ１Ｂの底面１ａに形成されるケース側ばね掛け部１ｃに取り付ける（図１参照）。その後、このロボットハンドＲＨによりスライドドア３を下ハーフ１Ｂのガイド溝１ｂに嵌め込むことにより、この組付作業が終了する。
【００１９】
以上によれば、本実施形態において、次のような効果を得ることができる。
スライドドア３の組付時において、コイルばね４はそのスライドドア３に対する位置が規制部５により規制されるため、下ハーフ１Ｂに形成されるリブ等に接触しないようにロボットハンドＲＨを自由に操作することができる。これより、スライドドア３とコイルばね４とを一緒に下ハーフ１Ｂに組み付けることができるので、スライドドア３を最初にセットしてからコイルばね４を取り付ける方法で生じる問題を考慮する必要がなくなり、スライドドア３の組付作業を容易に自動化することができる。また、コイルばね４はそのスライドドア３に対する位置が規制部５により規制されるため、ロボットハンドＲＨでドアとコイルばねをずれない状態で挟持して、下ハーフ１Ｂのケース側ばね掛け部１ｃに確実に他方のリング部４１を取り付けることができる。さらに、ロボットハンドＲＨでコイルばね４の中腹部４２を挟持するので、下ハーフ１Ｂのケース側ばね掛け部１ｃ近傍の空間よりも開方向側の広い空間にロボットハンドＲＨを挿入することができ、リール２を囲うリブとの干渉を防止することができる。
【００２０】
以上、本発明は、前記実施形態に限定されることなく、様々な形態で実施される。
本実施形態では、スライドドア３を下ハーフ１Ｂに組み付ける場合について説明したが、本発明はこれに限定されず、上ハーフ１Ａに組み付ける場合にも本発明を適用することができる。
本実施形態では、規制部５としてＶ溝５１を有するものを採用したが、本発明はこれに限定されず、コイルばね４のスライドドア３に対する位置を規制するものであればどのようなものでもよい。たとえば、Ｖ溝５１の代わりに断面略Ｕ字状の溝を有するものや、コイルばね４を上下方向で挟み込むようにスライドドア３の内面３２から内側に突出する二つの突起などを、規制部として採用してもよい。
【００２１】
【発明の効果】
本発明によれば、規制部により湾曲したドアとコイルばねとを一緒に下ハーフに組み付けることができるので、ドアを予めセットすることにより生じる問題や挟持したドアとコイルばねがずれる問題を考慮する必要なく、そのドアの組付作業を容易に自動化することができる。
【図面の簡単な説明】
【図１】本発明に係る磁気テープカートリッジの全体を示す分解斜視図である。
【図２】図１のスライドドアの内面側を示す拡大斜視図である。
【図３】図１の磁気テープカートリッジの要部を示す要部拡大図である。
【図４】図２のスライドドアの前部を示す要部拡大斜視図である。
【図５】スライドドアにコイルばねを組み付けた状態を示す要部拡大斜視図である。
【符号の説明】
ＭＣ　　　　　　磁気テープカートリッジ
ＭＴ　　　　　　磁気テープ
１　　　　　　　カートリッジケース
１Ａ　　　　　　上ハーフ
１Ｂ　　　　　　下ハーフ
１ａ　　　　　　底面
１ｂ　　　　　　ガイド溝
１ｃ　　　　　　ケース側ばね掛け部（突起）
３　　　　　　　スライドドア
３１　　　　　　外面
３２　　　　　　内面
３２ｂ　　　　　ドア側ばね掛け部（突起）
４　　　　　　　コイルばね
４１　　　　　　リング部
５　　　　　　　規制部
５１　　　　　　本体部
５２　　　　　　Ｖ溝
【図１】
2004110954.tif 000003
【図２】
2004110954.tif 000004
【図３】
2004110954.tif 000005
【図４】
2004110954.tif 000006
【図５】
2004110954.tif 000007